(57)【要約】【課題】部品が変更となったときに、最新の部品情報のみならず変更前の有効な部品の情報も提供でき、保守等で用いることができる部品を容易に検索できる。【解決手段】部品変更時に、当該部品の変更の情報が入力される入力手段２０３，２２０と、前記入力手段２０３，２２０に入力された前記部品変更の情報に基づいて、当該部品の情報の変更履歴を作成する変更履歴作成手段２３０と、前記変更履歴作成手段２３０により作成された前記変更履歴の情報を、前記部品変更の情報に基づいて前記部品の変更毎に公開するか否かを設定する公開内容設定手段２３１と、を備えてなる。【選択図】        図２
2005235078.tif 000002
【特許請求の範囲】
【請求項１】
部品変更時の当該部品変更の情報の入力に基づいて、当該部品の情報の変更履歴を作成する変更履歴作成工程と、
前記変更履歴作成工程により作成された前記変更履歴の情報を、前記部品変更の情報に基づいて前記部品の変更毎に公開するか否かを設定し、公開用のデータベースに格納する公開内容設定工程と、
を含んだことを特徴とする部品の変更履歴情報の公開方法。
【請求項２】
前記変更履歴作成工程は、
前記部品変更の情報として、当該部品の変更を識別するための変更前のパーツ番号と、変更後のパーツ番号とが入力され、当該変更前のパーツ番号と、変更後のパーツ番号とを関連付けて前記変更履歴の情報を作成することを特徴とする請求項１に記載の部品の変更履歴情報の公開方法。
【請求項３】
前記公開用のデータベースに対して前記部品の変更前のパーツ番号、あるいは変更後のパーツ番号を用いた部品の検索要求を行う検索要求工程と、
前記検索要求工程によって検索要求に用いられたパーツ番号に対して関連する変更前のパーツ番号、あるいは変更後のパーツ番号を検索結果として出力する検索結果出力工程と、
を含んだことを特徴とする請求項２に記載の部品の変更履歴情報の公開方法。
【請求項４】
前記部品変更の情報には、当該部品に対する使用可否の情報が含まれ、
前記公開内容設定工程は、前記部品変更の情報に前記パーツ番号の部品が使用不可の情報が含まれているとき、当該使用不可のパーツ番号の情報を非公開とする設定を行うことを特徴とする請求項２または３に記載の部品の変更履歴情報の公開方法。
【請求項５】
前記部品変更の情報には、当該部品に対する使用可否の情報が含まれ、
前記公開内容設定工程は、前記部品変更の情報に前記パーツ番号の部品が使用不可の情報が含まれているとき、当該使用不可であることを示す情報を付帯して公開する設定を行うことを特徴とする請求項２または３に記載の部品の変更履歴情報の公開方法。
【請求項６】
前記請求項１〜５のいずれか一つに記載された方法をコンピュータに実行させることを特徴とするプログラム。
【請求項７】
部品変更時に、当該部品の変更の情報が入力される入力手段と、
前記入力手段に入力された前記部品変更の情報に基づいて、当該部品の情報の変更履歴を作成する変更履歴作成手段と、
前記変更履歴作成手段により作成された前記変更履歴の情報を、前記部品変更の情報に基づいて前記部品の変更毎に公開するか否かを設定する公開内容設定手段と、
を備えることを特徴とする部品の変更履歴管理装置。
【請求項８】
前記入力手段には、前記部品変更の情報として、当該部品の変更を識別するための変更前のパーツ番号と、変更後のパーツ番号とが入力され、
前記変更履歴作成手段は、前記変更前のパーツ番号と、変更後のパーツ番号とを関連付けて前記変更履歴の情報を作成することを特徴とする請求項７に記載の部品の変更履歴管理装置。
【請求項９】
部品変更時に、当該部品の変更の情報として当該部品の変更を識別するための変更前のパーツ番号と、変更後のパーツ番号とが入力される入力手段と、
前記入力手段を介して入力された変更前のパーツ番号と、変更後のパーツ番号とを関連付けて当該部品の情報の変更履歴を作成する変更履歴作成手段と、
を備えることを特徴とする部品の変更履歴管理装置。
【請求項１０】
前記変更履歴作成手段により設定された前記変更履歴のうち、前記部品変更のパーツ番号毎に公開するか否かを設定する公開内容設定手段を備えることを特徴とする請求項９に記載の部品の変更履歴管理装置。
【請求項１１】
前記入力手段は、前記公開内容設定手段に対して前記部品変更のパーツ番号毎に公開するか否かの情報を設定するための操作部を備えたことを特徴とする請求項１０に記載の部品の変更履歴管理装置。
【請求項１２】
前記部品変更の情報には、当該部品変更のパーツ番号毎に公開するか否かの情報が含まれ、
前記入力手段は、前記部品変更の情報を前記公開内容設定手段に出力することを特徴とする請求項１０に記載の部品の変更履歴管理装置。
【請求項１３】
前記公開内容設定手段により設定された公開用となる前記変更履歴の情報を格納する公開情報格納手段を備え、
前記公開情報格納手段に格納された前記変更履歴の情報に対して前記部品の変更前のパーツ番号、あるいは変更後のパーツ番号を用いた部品の検索要求時に、当該検索要求に用いられたパーツ番号に対して関連する変更前のパーツ番号、あるいは変更後のパーツ番号を検索結果として出力する検索手段と、
を備えることを特徴とする請求項８〜１２のいずれか一つに記載の部品の変更履歴管理装置。
【発明の詳細な説明】
【技術分野】
【０００１】
この発明は、各種の装置、機器等に用いられる部品が変更された際に、部品の変更前と変更後の情報を適切に公開することにより、検索した部品が変更されていてもその部品を用いることができるか否かを適切に取得できる部品の変更履歴情報の公開方法、その方法をコンピュータに実行させるプログラムおよび部品の変更履歴管理装置に関する。
【背景技術】
【０００２】
装置、機器等を構成する各種部品は、故障や保守時の交換用に在庫として確保されており、部品番号等を附した部品情報として管理されている。例えば、部品を販売する際の物品情報を検索し、検索結果を通信網を介して送受する販売管理システムが提案されている（例えば、特許文献１参照。）。
【０００３】
【特許文献１】特開２００２−２９８００３号公報
【発明の開示】
【発明が解決しようとする課題】
【０００４】
しかしながら、特許文献１に記載の構成では、部品自体に材質や形状の変更があったときに、システムに登録されている部品情報は、部品番号等が変更後の部品に更新（置き換わる）されていた。この場合、それまで、登録されていた過去の部品を交換等の保守用部品として用いることができるかを判断することができないという問題があった。
【０００５】
過去の部品は、不良要因を含んでいるために使用を禁止することもあるが、更新後の部品と同等に扱うことができる場合もある。保守センタ等では、装置の故障時に必要な部品を早急に手配できるよう部品を常時在庫として確保している。したがって、部品の在庫を適切に調整するためには、使用可能な部品については変更後であっても使用できるよう部品情報として残し、使用不可能な部品は部品自体を破棄する等の処置を施す必要がある。
【０００６】
この発明は、上述した従来技術による問題点を解消するため、部品が変更となったときに、最新の部品情報のみならず変更前の有効な部品の情報についても提供することにより、保守等で用いることができる部品を容易に検索できる部品の変更履歴情報の公開方法、その方法をコンピュータに実行させるプログラムおよび部品の変更履歴管理装置を提供することを目的とする。
【課題を解決するための手段】
【０００７】
上述した課題を解決し、目的を達成するため、この発明にかかる部品の変更履歴情報の公開方法は、部品変更時の当該部品変更の情報の入力に基づいて、当該部品の情報の変更履歴を作成する変更履歴作成工程と、前記変更履歴作成工程により作成された前記変更履歴の情報を、前記部品変更の情報に基づいて公開するか否かを設定し、公開用のデータベースに格納する公開内容設定工程と、を含んだことを特徴とする。
【０００８】
この発明によれば、部品の変更毎に変更履歴が作成され、この変更履歴を部品の変更毎に公開するか否かを設定して公開用データベースに格納する。公開用データベースへのアクセスにより、部品の変更履歴を取得できるようになる。
【０００９】
また、この発明の部品の変更履歴情報の公開方法では、前記変更履歴作成工程は、前記部品変更の情報として、当該部品の変更を識別するための変更前のパーツ番号と、変更後のパーツ番号とが入力され、当該変更前のパーツ番号と、変更後のパーツ番号とを関連付けて前記変更履歴の情報を作成することを特徴とする。
【００１０】
この発明によれば、部品の変更を識別するためのパーツ番号を用いて変更履歴が作成される。変更履歴は、変更前と変更後のパーツ番号とを関連付けたものであるため、パーツ番号の変化によってある部品の変更履歴を取得することができるようになる。
【００１１】
また、この発明にかかる部品の変更履歴情報の公開方法は、前記公開用のデータベースに対して前記部品の変更前のパーツ番号、あるいは変更後のパーツ番号を用いた部品の検索要求を行う検索要求工程と、前記検索要求工程によって検索要求に用いられたパーツ番号に対して関連する変更前のパーツ番号、あるいは変更後のパーツ番号を検索結果として出力する検索結果出力工程と、を含んだことを特徴とする。
【００１２】
この発明によれば、検索要求に用いたパーツ番号に関連する変更前のパーツ番号、あるいは変更後のパーツ番号を取得することができるため、ある部品のパーツ番号を用いて検索実行でき、検索結果としてこの部品の過去から現在に至るパーツ番号の変化を取得できるようになる。
【００１３】
また、この発明の部品の変更履歴情報の公開方法は、前記部品変更の情報には、当該部品に対する使用可否の情報が含まれ、前記公開内容設定工程は、前記部品変更の情報に前記パーツ番号の部品が使用不可の情報が含まれているとき、当該使用不可のパーツ番号の情報を非公開とする設定を行うことを特徴とする。
【００１４】
この発明によれば、ある部品が使用不可であるときには、このパーツ番号の情報を非公開とすることにより、該当する部品が使用不可であることを知らせることができるようになる。
【００１５】
また、この発明にかかる部品の変更履歴情報の公開方法は、前記部品変更の情報には、当該部品に対する使用可否の情報が含まれ、前記公開内容設定工程は、前記部品変更の情報に前記パーツ番号の部品が使用不可の情報が含まれているとき、当該使用不可であることを示す情報を付帯して公開する設定を行うことを特徴とする。
【００１６】
この発明によれば、ある部品が使用不可であるときには、このパーツ番号の情報を公開するものの、該当する部品が使用不可であることを知らせることができるようになる。
【００１７】
また、この発明にかかるプログラムは、上述した部品の変更履歴情報の公開方法をコンピュータに実行させることを特徴とする。
【００１８】
この発明によれば、コンピュータを用いて上述した部品の変更履歴情報の公開方法を実行できるようになる。
【００１９】
また、この発明の部品の変更履歴管理装置は、部品変更時に、当該部品の変更の情報が入力される入力手段と、前記入力手段に入力された前記部品変更の情報に基づいて、当該部品の情報の変更履歴を作成する変更履歴作成手段と、前記変更履歴作成手段により作成された前記変更履歴の情報を、前記部品変更の情報に基づいて前記部品の変更毎に公開するか否かを設定する公開内容設定手段と、を備えることを特徴とする。
【００２０】
この発明によれば、部品の変更毎に入力される部品の変更の情報に基づいて変更履歴が作成され、この変更履歴を部品の変更毎に公開するか否かを設定して公開用データベースに格納する。公開用データベースへのアクセスにより、部品の変更履歴を取得できるようになる。
【００２１】
また、この発明にかかる部品の変更履歴管理装置は、前記入力手段には、前記部品変更の情報として、当該部品の変更を識別するための変更前のパーツ番号と、変更後のパーツ番号とが入力され、前記変更履歴作成手段は、前記変更前のパーツ番号と、変更後のパーツ番号とを関連付けて前記変更履歴の情報を作成することを特徴とする。
【００２２】
この発明によれば、部品の変更を識別するためのパーツ番号の入力によって変更履歴が作成される。変更履歴は、変更前と変更後のパーツ番号とを関連付けたものであるため、パーツ番号の変化によってある部品の変更履歴を取得することができるようになる。
【００２３】
また、この発明にかかる部品の変更履歴管理装置は、部品変更時に、当該部品の変更の情報として当該部品の変更を識別するための変更前のパーツ番号と、変更後のパーツ番号とが入力される入力手段と、前記入力手段を介して入力された変更前のパーツ番号と、変更後のパーツ番号とを関連付けて当該部品の情報の変更履歴を作成する変更履歴作成手段と、を備えることを特徴とする。
【００２４】
この発明によれば、部品の変更を識別するためのパーツ番号の入力によって変更履歴が作成される。変更履歴は、変更前と変更後のパーツ番号とを関連付けたものであるため、パーツ番号の変化によってある部品の変更履歴を取得することができるようになる。
【００２５】
また、この発明にかかる部品の変更履歴管理装置は、前記変更履歴作成手段により設定された前記変更履歴のうち、前記部品変更のパーツ番号毎に公開するか否かを設定する公開内容設定手段を備えることを特徴とする。
【００２６】
この発明によれば、変更履歴を部品の変更毎に公開するか否かを設定でき、公開した変更履歴に含まれているパーツ番号だけを検索結果として取得できるようになる。
【００２７】
また、この発明にかかる部品の変更履歴管理装置では、前記入力手段は、前記公開内容設定手段に対して前記部品変更のパーツ番号毎に公開するか否かの情報を設定するための操作部を備えたことを特徴とする。
【００２８】
この発明によれば、操作部を操作して部品変更のパーツ番号毎に公開するか否かを設定することができる。また、決裁者が操作部を操作して公開の可否を設定できるようになる。
【００２９】
また、この発明にかかる部品の変更履歴管理装置では、前記部品変更の情報には、当該部品変更のパーツ番号毎に公開するか否かの情報が含まれ、前記入力手段は、前記部品変更の情報を前記公開内容設定手段に出力することを特徴とする。
【００３０】
この発明によれば、入力手段に入力される部品変更の情報に含まれる部品変更のパーツ番号毎に公開するか否かの情報に基づいて公開の可否を自動設定することができる。
【００３１】
また、この発明にかかる部品の変更履歴管理装置は、前記公開内容設定手段により設定された公開用となる前記変更履歴の情報を格納する公開情報格納手段を備え、前記公開情報格納手段に格納された前記変更履歴の情報に対して前記部品の変更前のパーツ番号、あるいは変更後のパーツ番号を用いた部品の検索要求時に、当該検索要求に用いられたパーツ番号に対して関連する変更前のパーツ番号、あるいは変更後のパーツ番号を検索結果として出力する検索手段と、を備えることを特徴とする。
【００３２】
この発明によれば、検索要求に用いたパーツ番号に関連する変更前のパーツ番号、あるいは変更後のパーツ番号を取得することができるため、ある部品のパーツ番号を用いて検索実行でき、検索結果としてこの部品の過去から現在に至るパーツ番号の変化を取得できるようになる。
【発明を実施するための最良の形態】
【００３３】
以下に添付図面を参照して、この発明にかかる部品の変更履歴情報の公開方法、その方法をコンピュータに実行させるプログラムおよび部品の変更履歴管理装置の好適な実施の形態を詳細に説明する。
【００３４】
（実施の形態）
はじめに、この発明の実施の形態について説明する。実施の形態では、部品の変更履歴を管理する部品の変更履歴管理システムについて説明する。
【００３５】
図１は、この発明による部品の変更履歴管理システムを示す概要図である。サーバ１００は、部品の管理情報を管理する。クライアント１０２は、部品の情報を取得する端末である。クライアント１０２は、１台、あるいは複数台（ｎ）設けることができ（１０２ａ〜１０２ｎ）、インターネット等のネットワーク１０１を介してサーバ１００に接続されている。サーバ１００は、クライアント１０２からの要求に応じて、該当する部品の情報をクライアント１０２に送信する。
【００３６】
クライアント１０２は、ある装置（製品）の故障時や保守時等に、サーバ１００にアクセスして交換が必要な部品の情報を検索し、該当する部品の情報を取得する。部品の情報とは、検索対象である部品の部品名（呼称名）や、部品の変更毎に付与され部品の変更を識別するためのパーツ番号や、変更履歴情報等によって構成されている。パーツ番号は、装置の一部を構成している部品に関して、材質や一部の形状が異なるものが製造される都度、異なる番号が付与される。なお、通常、部品名は変更されない。変更履歴情報とは、パーツ番号が変更されたとき、過去から現在に至るパーツ番号の変更内容を示し、変更の都度、変更の要因や、日時等の情報からなる。
【００３７】
図２は、サーバの内部構成を示すブロック図である。サーバ１００は、ネットワーク１０１を介してクライアント（図１参照）との間で情報を送受するための通信部２０１と、部品の変更履歴を管理する変更履歴管理部２０２と、Ｉ／Ｆ２０３とを有する。変更履歴管理部２０２には、以下の各データベースが接続されている。データベースは、部品の情報である部品名とパーツ番号等を格納するパーツリスト格納部２１０と、変更履歴情報を格納する変更履歴情報格納部２１１と、ネットワーク１０１を介してクライアント１０２に対して公開する部品の情報を格納する公開情報格納部２１２と、からなる。
【００３８】
また、変更履歴管理部２０２には、変更履歴を管理操作する際の設定操作を行うための設定部２２０と、管理操作内容を出力するための出力部２２１とが接続されている。設定部２２０と、Ｉ／Ｆ２０３は、入力手段として機能し、部品が変更されたときにこの変更部品に関する情報が入力される。
【００３９】
変更履歴管理部２０２は、変更履歴作成手段２３０と、公開内容設定手段２３１と、検索手段２３２とを有している。変更履歴作成手段２３０は、部品が変更されたときの変更部品情報の入力に基づいて、パーツリスト格納部２１０に格納されている該当する部品の変更履歴を作成し、変更履歴情報を変更履歴情報格納部２１１に格納する。公開内容設定手段２３１は、変更履歴情報格納部２１１に格納されている変更履歴情報に基づいて、公開情報の公開条件を設定して公開情報格納部２１２に格納する。検索手段２３２は、クライアント１０２からの検索要求時に、該当する検索結果を出力する。これら変更履歴管理部２０２による設定動作の詳細は後述する。
【００４０】
図３は、部品の変更履歴管理システムのハードウェア構成を示すブロック図である。図３において、３０１は装置全体を制御するＣＰＵを、３０２は基本入出力プログラムを記憶したＲＯＭを、３０３はＣＰＵ３０１のワークエリアとして使用されるＲＡＭを、それぞれ示している。また、３０４はＣＰＵ３０１の制御にしたがってＨＤ（ハードディスク）３０５に対するデータのリード／ライトを制御するＨＤＤ（ハードディスクドライブ）を、３０５はＨＤＤ３０４の制御にしたがって書き込まれたデータを記憶するＨＤをそれぞれ示している。
【００４１】
また、３０６はＣＰＵ３０１の制御にしたがってＦＤ（フレキシブルディスク）３０７に対するデータのリード／ライトを制御するＦＤＤ（フレキシブルディスクドライブ）を、３０７はＦＤＤ３０６の制御にしたがって書き込まれたデータを記憶する着脱自在のＦＤを、それぞれ示している。また、３０８はカーソル、メニュー、ウインドウ、あるいは文字や画像等の各種データを表示するディスプレイを、３０９は通信ケーブル３１０を介してネットワーク１０１に接続され、このネットワーク１０１とＣＰＵ３０１とのインターフェース（Ｉ／Ｆ）として機能するネットワークボードを、それぞれ示している。
【００４２】
また、３１１は文字、数値、各種指示等の入力のための複数のキーを備えたキーボードを、３１２は各種指示の選択や実行、処理対象の選択、カーソルの移動等を行うマウスを、それぞれ示している。また、３１３は文字や画像を光学的に読み取るスキャナを、３１４はＣＰＵ３０１の制御にしたがって文字や画像を印刷するプリンタを、３１５は着脱可能な記録媒体であるＣＤ／ＤＶＤディスクを、３１６はＣＤ／ＤＶＤディスク３１５に対するデータのリードを制御するディスクドライブを、３００は上記各部を接続するためのバスを、それぞれ示している。
【００４３】
図１に示すサーバ１００は、図３に記載された各機能を有しており、サーバ１００に設けられたＲＯＭ３０２，ＲＡＭ３０３，ＣＤ／ＤＶＤディスク３１５やディスクドライブ３１６等に記録されたプログラムをＣＰＵ３０１が実行することによってその機能を実現する。図１に示すクライアント１０２（１０２ａ〜１０２ｎ）についても、図３におけるＲＯＭ３０２，ＲＡＭ３０３，ＣＤ／ＤＶＤディスク３１５およびディスクドライブ３１６等に記録されたプログラムをＣＰＵ３０１が実行することによってその機能を実現する。また、図１に示すサーバ１００と、クライアント１０２とがネットワーク接続し、部品の情報（変更履歴情報を含む）のデータを送受信する具体的構成は、図３に示したＩ／Ｆ３０９によって実現される。
【００４４】
図４は、パーツリストの内容を示す図表である。図２に示したパーツリスト格納部２１０に格納されるパーツリスト４００の概要を示すものであり、ある装置名４０１を構成している複数の部品を一覧化した。各部品にはそれぞれパーツ番号４０２と、部品の名称４０３が付与され、管理されている。図示の例では、装置名４０１が「ＰＭ−Ｇ７００」であり、パーツ番号４０２と、このパーツ番号４０２に対応している名称４０３はそれぞれ、「１００２，ハウジング」、「２００１，ネジ」、…、「８００１，ケーブル」となっている。部品は、パーツ番号４０２、あるいは名称４０３を入力して検索することにより、対応している名称４０３、あるいはパーツ番号４０２を得ることができる。
【００４５】
図５は、部品の変更履歴を説明するための図表である。部品が変更される都度、図示のようにパーツリスト４００のパーツ番号４０２は、異なる番号のものに変更される。図５に示す例は、パーツ番号４０２の「１００２」（図４に示すように、該当する名称４０３は「ハウジング」）という部品が２回変更された状態を示している。当初、このハウジングのパーツ番号４０２は「１０００」として登録されていたが、１回目の変更でパーツ番号４０２は「１００１」に変更され、２回目の変更でパーツ番号４０２は「１００２」に変更され、現在用いられているという状態である。
【００４６】
このように部品が変更されたとき、図１に示すクライアント１０２が部品の情報を検索したときの検索結果は、通常、最も最近のパーツ番号４０２である「１００２」だけとなり、過去のパーツ番号４０２である「１０００」と「１００１」は得ることができない。すなわち、通常では、このような状態でクライアント１０２がパーツ番号４０２として過去の「１０００」、あるいは「１００１」を用いて検索することができない。
【００４７】
この発明の実施の形態においては、図２に示す変更履歴管理部２０２が変更履歴情報を変更履歴情報格納部２１１に格納することにより、図５に示したような数度の変更がなされた後であっても、過去から現在に至るパーツ番号４０２「１０００」、「１００１」、「１００２」のうち、いずれを用いても検索結果を得ることができるようになっている。
【００４８】
図６は、部品の変更時に変更履歴を設定する処理内容を示すフローチャートである。図２に示した変更履歴作成手段２３０の処理内容を記載した。はじめに、部品の変更時に図２記載のＩ／Ｆ２０３を介して変更部品情報が入力されたかを判断する（ステップＳ６０１）。図示の例では、変更部品情報の入力を待機する構成とした（ステップＳ６０１：Ｎｏのループ）。そして、変更部品情報が入力されると（ステップＳ６０１：Ｙｅｓ）、入力された変更部品情報を取り込む（ステップＳ６０２）。この変更部品情報は、変更前および変更後のパーツ番号４０２、変更時期（日時）、変更要因等を含んでいる。
【００４９】
そして、この変更部品情報に基づいてパーツ番号４０２を変更する（ステップＳ６０３）。この際、変更前のパーツ番号４０２に対して変更後のパーツ番号４０２を関連付ける。例えば、図５に示す例では、変更前のパーツ番号４０２が「１００１」であり、変更後のパーツ番号４０２が「１００２」のとき、これら変更前後のパーツ番号４０２を関連付ける。この際、これらパーツ番号４０２「１００１」、「１００２」は同一の部品（名称４０３は、「ハウジング」）である。
【００５０】
そして、このような変更前後のパーツ番号４０２の関連付けを変更履歴情報として設定し（ステップＳ６０４）、変更履歴情報格納部２１１に格納する（ステップＳ６０５）。
変更履歴情報格納部２１１に格納される変更部品情報としては、変更前および変更後のパーツ番号４０２、変更時期（日時）、変更要因等を含んでいる。
【００５１】
図７は、部品の変更履歴に基づき公開設定する処理内容を示すフローチャートである。図２に示した公開内容設定手段２３１の処理内容を記載した。はじめに、図６に示した変更履歴の設定の処理の実行により、新たな変更履歴が発生したか検出する（ステップＳ７０１）。図示の例では、変更履歴の発生を待機する構成とした（ステップＳ７０１：Ｎｏのループ）。なお、図６のステップＳ６０５の処理実行後に、図７のステップＳ７０１，ステップＳ７０２を飛ばしてステップＳ７０３を実行する構成にもできる。
【００５２】
そして、新たな変更履歴が発生すると（ステップＳ７０１：Ｙｅｓ）、変更履歴情報格納部２１１から変更履歴が発生した部品に該当する変更履歴情報を読み出す（ステップＳ７０２）。そして、変更前の部品に関する公開内容を設定する。この公開内容の設定とは、サーバ１００の公開情報格納部２１２に設定された内容であり、クライアント１０２に対して公開する部品の情報を示す。後述するが、公開情報格納部２１２に格納される公開情報とは、パーツリスト格納部２１０に格納されているパーツリストに対して公開内容を設定した状態の情報（データ）である。この公開内容の設定は、具体的には、変更前のパーツ番号４０２の公開可否の設定（ステップＳ７０３）と、変更後のパーツ番号４０２の変更要因の設定（ステップＳ７０４）等がある。
【００５３】
ステップＳ７０３における変更前のパーツ番号４０２の公開可否の設定においては、パーツ番号４０２が変更されたとき、変更前のパーツ番号４０２を公開するか否かが設定される。例えば、部品の変更時に外部からＩ／Ｆ２０３に入力される変更部品の情報に公開の可否の情報が含まれていれば自動設定することができる。また、これに限らず、公開の可否を決定する決裁者が設定部２２０を操作して公開の可否を手動設定することもできる。
【００５４】
「公開」とする設定時には、変更前のパーツ番号４０２が公開情報に含まれ、この変更前のパーツ番号４０２を用いた部品の検索を有効にする。例えば、図５に示す変更前のパーツ番号４０２が「１００１」のとき、このパーツ番号４０２「１００１」を用いた検索が行われる。当然ながら、変更後のパーツ番号４０２「１００２」を用いた検索も行うようになっている。一方、「非公開」とする設定時には、変更前のパーツ番号４０２が公開情報に含まれないため、この変更前のパーツ番号４０２を用いた部品の検索が無効となる。
【００５５】
具体的には、図５に示す変更前のパーツ番号４０２が「１００１」のとき、このパーツ番号４０２「１００１」を用いた検索が行えず、変更後のパーツ番号４０２「１００２」を用いた検索は行うようになっている。この変更前のパーツ番号４０２の公開可否の設定は、部品の変更時毎に設定できるため、例えば、図５に示す変更前のパーツ番号４０２が「１０００」について「公開」とする設定がなされているときには、公開の設定がなされている「１０００」と、「１００２」のパーツ番号４０２を用いた部品の検索が有効となり、「１００１」のパーツ番号４０２を用いた部品の検索が無効となる。これらの検索処理は、クライアント１０２からの検索要求により、図２に記載の検索手段２３２が実行し、検索結果としてクライアント１０２に出力（返答）する。
【００５６】
ステップＳ７０４における変更後のパーツ番号４０２の変更要因の設定においては、パーツ番号４０２が変更されたとき、その変更要因が設定部２２０等の操作により設定される。例えば、図５に示す変更前のパーツ番号４０２の「１０００」の部品が劣化しやすいものであったとき、この「劣化」等の変更要因を示す内容が設定される。このような変更要因の設定は、どのような理由で部品が変更されたかを知るための情報として用いることができる。
【００５７】
なお、ステップＳ７０４における変更後のパーツ番号４０２の変更要因の設定は、実際には変更前のパーツ番号４０２の変更要因であるから、変更前のパーツ番号４０２の変更要因として設定することもできる。また、ステップＳ７０４における変更後のパーツ番号４０２の変更要因の設定は、ステップＳ７０３において「公開」とする設定がなされたときにのみ連動して処理実行するよう構成してもよい。
【００５８】
ステップＳ７０４の実行後、パーツリスト格納部２１０から変更された部品に関するパーツリストを読み出し（ステップＳ７０５）、パーツリストに対して該当する部品の公開内容（パーツ番号４０２）を反映させる（ステップＳ７０６）。このステップＳ７０６では、ステップＳ７０３における変更前のパーツ番号４０２の公開可否の設定内容と、およびステップＳ７０４における変更後のパーツ番号４０２の変更要因の設定内容を用いてパーツリストを反映（更新に相当）させる。そして、この反映結果を新たな公開情報として公開情報格納部２１２に格納する（ステップＳ７０７）。
【００５９】
図８は、公開情報の表示例を示す図である。クライアント１０２から部品情報の検索要求があり、サーバ１００から送信された検索結果である。例えば、クライアント１０２の表示部（不図示）に表示される内容の一例を示した。
【００６０】
クライアント１０２は、部品の名称４０３、あるいはパーツ番号４０２を入力して検索要求することにより、サーバ１００は、部品の検索結果画面８００を構成する表示データをクライアント１０２に送信する。例えば、検索要求時に検索キーとして図示のように部品の名称４０３として内容８０１に「ハウジング」を入力したとき、サーバ１００は、対応するパーツ番号４０２の内容８０２として「１００１」を検索結果とする。このパーツ番号４０２の内容８０２は、部品が変更されたときにおける最新のパーツ番号４０２である。この検索結果画面８００には、部品の変更履歴を表示するための「変更履歴」のキー８０３が設けられている。この「変更履歴」のキー８０３を選択することにより、該当する部品の変更履歴を表示することができる。
【００６１】
図９は、変更履歴の表示例を示す図である。クライアント１０２が図８に示す「変更履歴」のキー８０３を選択操作したとき、サーバ１００は、検索時に用いたパーツ番号４０２である「１００１」を変更履歴対象９０１に設定して、このパーツ番号「１００１」に該当する部品の変更履歴画面９００を構成する表示データをクライアント１０２に送信する。変更履歴の画面は、部品の変更回数に相当する縦の列と、各部品の変更時毎の詳細な項目を記載した横の列からなる表形式で表示される。
【００６２】
縦の列は、部品の変更回数に対応する個数分だけ設けられ、図示の例では部品の変更回数が２回あったことを示し、対応して２つの縦列９１０、９１１が設けられる。横の列の詳細な項目は、変更等の内容を示す「適用」の項目９０２と、適用の変更があった「月日」の項目９０３と、適用日を基準とした変更前のパーツ番号４０２の項目９０４と、部品の「名称」４０３の項目９０５と、適用日を基準とした変更後のパーツ番号４０２の項目９０６と、「変更要因」の項目９０７と、「備考」９０８とからなる。
【００６３】
ある１回の部品の変更時の内容を具体的に説明する。縦列９１０は、部品変更（変更部品）により形成されたものであり、その時期は「２００４／Ｊａｎ／１４」である。この適用の変更前のパーツ番号４０２は「１０００」であり、変更後のパーツ番号４０２は「１００１」である。そして、変更要因は材質変更によるものである。
【００６４】
このように、変更履歴の表示画面には、部品の変更等があったことを履歴として表示できる。特に、検索した部品のパーツ番号に関連する過去および現在のパーツ番号を取得することができ、その変更履歴を具体的に把握できるようになる。なお、図８および図９に示す表示画面８００，９００は、クライアント１０２に設けられた表示部（例えば、図３のディスプレイ３０８）に対する画面表示に限らず、同内容のものを図３のプリンタ３１４を介して印刷出力することもできる。
【００６５】
なお、図９に示す変更履歴の表示画面のうち、検索対象のパーツ番号４０２である「１００１」の公開条件を「非公開」（図７のステップＳ７０３）に設定したときには、変更履歴画面９００上において該当する縦列９１１を非表示とする。
【００６６】
上述した公開条件における「非公開」の設定は、例えば、変更前のパーツ番号４０２の部品が何らかの不具合を有している場合も含まれる。パーツ番号４０２が「１００１」の部品がこのような不具合を有しているものである場合には、この「１００１」の部品の使用を行わせないために、上記「非公開」の設定が有効となる。但し、単純に「非公開」としてしまうと、この「１００１」の部品の在庫を保有している場合、この「１００１」のパーツ番号の部品が非公開で変更履歴を取得できないままであると、その変更要因が不明であるため、不要な在庫を保有し続けることも考えられる。したがって、「非公開」とするに限らず、全ての情報を公開し、使用不可とするパーツ番号４０２の部品に限って「変更要因」の項目９０７や、「備考」の項目９０８には、部品を使用不可とする旨の記述をして表示する構成にもできる。
【００６７】
以上説明した実施の形態によれば、部品が変更されたときこの変更の情報を作成し、変更履歴として蓄積していくことにより、部品が変更された後であっても変更前後の情報を用いて過去および現在の部品に該当する情報（パーツ番号４０２）を取得することができるようになる。これにより、部品が変更されても現在必要な部品の情報を簡単に得ることができ、装置の保守点検時に必要な交換用の部品を容易に取得でき保守点検作業の効率化を図ることができる。例えば、最新のパーツ番号４０２の部品を使用するに限らず、公開されている過去のパーツ番号４０２の部品であっても代替品として使用できる旨の情報を得ることもできるようになる。また、不要な部品の在庫を削減して在庫管理の効率化を図ることもできるようになる。
【００６８】
以上説明した部品の変更履歴管理システムは、部品の発注システムに組み込んで適用することもできる。上述した如く、パーツ番号４０２を入力して該当する部品の検索結果を取得し、この検索結果を用いてこの部品を発注することができる。すなわち、既存の部品の発注システムに、上述した部品の変更履歴管理機能を持たせればよい。これにより、発注したい部品を上記部品検索で検索することにより、使用可能なパーツ番号の情報を取得でき、最新のパーツ番号４０２の部品を速やかに発注することができるようになる。これに限らず、過去のパーツ番号４０２であっても使用可能な代替品であれば、この代替品を発注することもできる。発注に対する納品が代替品となった場合については、適宜その旨を発注者（クライアント１０２）に対して通知することが望ましい。例えば、クライアント１０２に対して代替品であることを返答してクライアント１０２の確認後に納品を行うようにすればよい。
【００６９】
ところで、この部品の発注システムは、「非公開」の設定がなされたパーツ番号４０２が直接入力される等により、使用不可な部品に対する発注がなされたときにはその納品を行わないように構成する必要がある。具体的には、公開情報（例えば図２記載の公開情報格納部２１２）の公開内容が「非公開」であるパーツ番号４０２に該当する部品の納品を行わない。この場合、納品を行えない旨の情報として、上記した使用不可であることを示す情報（例えば、「変更要因」や「備考」の記述内容）を発注元（クライアント１０２）に対して返答する。
【００７０】
このように、この発明による部品の変更履歴の管理機能を部品の発注システムに組み込むことにより、発注したパーツ番号の部品を納品するに限らず、代替品を用いた納品も可能となる等、パーツ番号の変更履歴に基づいて使用可能なパーツ番号の部品ができることを案内できるようになる。特に、迅速な納品が必要な場合において、発注時に指定されたパーツ番号の納品が在庫不足や製造中止等で困難な場合であっても、代替品による納品が行うようになり、発注から納品までの期間を短縮化できるようになる。例えば、在庫がない部品の場合、今までは２ヶ月程度かかっていた納品が代替品であれば翌日に納品できるようになる。また、不具合があるパーツ番号による発注があった場合に、このパーツ番号の部品の納品を行わないようにでき、不具合のある部品の供給を未然に防止することができるようになる。
【００７１】
なお、上記の各実施の形態で説明した部品の変更履歴にかかる方法は、予め用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００７２】
【図１】この発明による部品の変更履歴管理システムを示す概要図。
【図２】サーバの内部構成を示すブロック図。
【図３】部品の変更履歴管理システムのハードウェア構成を示すブロック図。
【図４】パーツリストの内容を示す図表。
【図５】部品の変更履歴を説明するための図表。
【図６】部品の変更時に変更履歴を設定する処理内容を示すフローチャート。
【図７】部品の変更履歴に基づき公開設定する処理内容を示すフローチャート。
【図８】公開情報の表示例を示す図。
【図９】変更履歴の表示例を示す図。
【符号の説明】
【００７３】
１００  サーバ、１０１  ネットワーク、１０２（１０２ａ〜１０２ｎ）  クライアント、２０１  通信部、２０２  変更履歴管理部、２０３  Ｉ／Ｆ、２１０  パーツリスト格納部、２１１  変更履歴情報格納部、２１２  公開情報格納部、２２０  設定部、２２１  出力部、２３０  変更履歴作成手段、２３１  公開内容設定手段、３０１  ＣＰＵ、３０２  ＲＯＭ、３０３  ＲＡＭ、３０８  ディスプレイ、３０９  Ｉ／Ｆ、３１１  キーボード、３１４  プリンタ、４００  パーツリスト、４０１  装置名、４０２  パーツ番号、４０３  名称
【図１】
2005235078.tif 000003
【図２】
2005235078.tif 000004
【図３】
2005235078.tif 000005
【図４】
2005235078.tif 000006
【図５】
2005235078.tif 000007
【図６】
2005235078.tif 000008
【図７】
2005235078.tif 000009
【図８】
2005235078.tif 000010
【図９】
2005235078.tif 000011